(57)【特許請求の範囲】
【請求項１】
実行予定のカンファレンスに基づいて、前記カンファレンスの対象患者を特定し、特定した前記対象患者に関する複数の種類の医療情報を検索する第１の検索手段と、
前記カンファレンスに基づいて、初期状態において表示する医療情報の種類を選択する選択手段と、
前記第１の検索手段により検索された医療情報のうち、前記選択手段により選択された種類の前記医療情報を初期状態において表示し、ユーザ操作に応じて、表示対象の医療情報を、前記第１の検索手段により検索された医療情報のうち、前記選択手段により選択された種類と異なる種類の前記医療情報に切り替える表示手段と、
を有し、
前記選択手段は、前記カンファレンスが第１のカンファレンスである場合と前記第１のカンファレンスとは異なる第２のカンファレンスである場合とで異なる種類の医療情報を前記初期状態において表示する医療情報として選択することを特徴とする情報処理装置。
【請求項２】
前記表示手段は、前記選択手段により選択された種類と異なる種類に対応するタブをさらに表示し、前記タブが選択された場合に、表示対象の医療情報を、前記選択されたタブに対応する種類の医療情報に切り替えることを特徴とする請求項１に記載の情報処理装置。
【請求項３】
前記第１の検索手段は、予め設定された検索タイミングにおいて、前記対象患者を特定し、特定した前記対象患者に関する医療情報を検索することを特徴とする請求項１又は２に記載の情報処理装置。
【請求項４】
前記表示手段は、前記カンファレンスに基づいて定まる複数のソート条件を表示し、表示されたソート条件のうち、ユーザから指示されたソート条件に従い、前記医療情報をソートして表示することを特徴とする請求項１乃至３の何れか１項に記載の情報処理装置。
【請求項５】
前記カンファレンスに基づいて定まる複数の検索条件を表示し、表示された検索条件のうち、ユーザから指示された検索条件に基づいて、表示された医療情報の中から、前記検
索条件を満たす医療情報を検索する第２の検索手段をさらに有し、
前記表示手段は、前記第２の検索手段により検索された前記医療情報を表示することを特徴とする請求項１乃至４の何れか１項に記載の情報処理装置。
【請求項６】
前記第１の検索手段は、前記実行予定のカンファレンスに関連するカンファレンスの目的に基づいて、前記実行予定のカンファレンスの対象患者に関する医療情報をさらに検索し、
前記表示手段は、前記実行予定のカンファレンスから前記関連するカンファレンスへの切替指示を受け付けた場合に、表示する前記医療情報を、前記実行予定のカンファレンスの目的に基づいて検索された医療情報から、前記関連するカンファレンスの目的に基づいて検索された医療情報に切り替えることを特徴とする請求項１乃至５の何れか１項に記載の情報処理装置。
【請求項７】
実行予定のカンファレンスに基づいて、前記カンファレンスの対象患者を特定し、特定した前記対象患者に関する複数の種類の医療情報を検索する第１の検索手段と、
前記カンファレンスに基づいて、初期状態において表示する医療情報の種類を選択する選択手段と、
前記第１の検索手段により検索された医療情報のうち、前記選択手段により選択された種類の前記医療情報を初期状態において表示し、ユーザ操作に応じて、表示対象の医療情報を、前記第１の検索手段により検索された医療情報のうち、前記選択手段により選択された種類と異なる種類の前記医療情報に切り替える表示手段と、
を有し、
前記選択手段は、前記カンファレンスが第１のカンファレンスである場合と前記第１のカンファレンスとは異なる第２のカンファレンスである場合とで異なる種類の医療情報を前記初期状態において表示する医療情報として選択することを特徴とする情報処理システム。
【請求項８】
情報処理装置が実行する情報処理方法であって、
実行予定のカンファレンスに基づいて、前記カンファレンスの対象患者を特定し、特定した前記対象患者に関する複数の種類の医療情報を検索する第１の検索ステップと、
前記カンファレンスに基づいて、初期状態において表示する医療情報の種類を選択する選択ステップと、
前記第１の検索ステップにおいて検索された医療情報のうち、前記選択ステップにおいて選択された種類の前記医療情報を初期状態において表示し、ユーザ操作に応じて、表示対象の医療情報を、前記第１の検索ステップにおいて検索された医療情報のうち、前記選択ステップにおいて選択された種類と異なる種類の前記医療情報に切り替える表示ステップと、
を含み、
前記選択ステップでは、前記カンファレンスが第１のカンファレンスである場合と前記第１のカンファレンスとは異なる第２のカンファレンスである場合とで異なる種類の医療情報を前記初期状態において表示する医療情報として選択することを特徴とする情報処理方法。
【請求項９】
情報処理システムが実行する情報処理方法であって、
実行予定のカンファレンスに基づいて、前記カンファレンスの対象患者を特定し、特定した前記対象患者に関する複数の種類の医療情報を検索する第１の検索ステップと、
前記カンファレンスに基づいて、初期状態において表示する医療情報の種類を選択する選択ステップと、
前記第１の検索ステップにおいて検索された医療情報のうち、前記選択ステップにおいて選択された種類の前記医療情報を初期状態において表示し、ユーザ操作に応じて、表示対象の医療情報を、前記第１の検索ステップにおいて検索された医療情報のうち、前記選択ステップにおいて選択された種類と異なる種類の前記医療情報に切り替える表示ステップと、
を含み、
前記選択ステップでは、前記カンファレンスが第１のカンファレンスである場合と前記第１のカンファレンスとは異なる第２のカンファレンスである場合とで異なる種類の医療情報を前記初期状態において表示する医療情報として選択することを特徴とする情報処理方法。
【請求項１０】
コンピュータを、
実行予定のカンファレンスに基づいて、前記カンファレンスの対象患者を特定し、特定した前記対象患者に関する複数の種類の医療情報を検索する第１の検索手段と、
前記カンファレンスに基づいて、初期状態において表示する医療情報の種類を選択する選択手段と、
前記第１の検索手段により検索された医療情報のうち、前記選択手段により選択された種類の前記医療情報を初期状態において表示し、ユーザ操作に応じて、表示対象の医療情報を、前記第１の検索手段により検索された医療情報のうち、前記選択手段により選択された種類と異なる種類の前記医療情報に切り替える表示手段と、
して機能させ、
前記選択手段は、前記カンファレンスが第１のカンファレンスである場合と前記第１のカンファレンスとは異なる第２のカンファレンスである場合とで異なる種類の医療情報を前記初期状態において表示する医療情報として選択するプログラム。
【発明の詳細な説明】
【技術分野】
【０００１】
本発明は、情報処理装置、情報処理方法及びプログラムに関する。
【背景技術】
【０００２】
医療業界では複数の医療従事者によるカンファレンスが日常的に実施されている。カンファレンスを実施する目的には、患者に対する診断や治療方針を策定することや、実施した医療行為に関する情報を共有すること、患者の様態に問題が生じたときにその問題に対して意見交換や指摘をすること等様々なものがある。
医師はカンファレンス対象となる患者を事前に選定し、その患者に対してカンファレンスの目的に合った資料を事前に準備する必要がある。医師は患者に対して作成されたカルテ情報、医用画像データ、生理検査データ、検体検査データ、診断レポート等を収集し、それを基にカンファレンスの資料を作成する。患者に関する医療情報は、その種類によって様々な医用検査システムに保存されている。医用検査システムには、Ｘ線ＣＴ装置やＭＲＩ装置の様な医用画像撮影装置で撮影された医用画像を保存する医用画像サーバがある。また、読影レポートを保存する読影レポートサーバ、電子カルテを保存する電子カルテサーバ、血液検査結果や心電図等の情報を保存する情報サーバ等がある。
【０００３】
医師は、院内に分散された多種多様な形式の膨大な情報の中から、カンファレンスに必要な情報を自身の知識・経験を基に選別して収集している。医師には診療という本来の業務のほかに、直接的・間接的に付随する様々な仕事があり、多忙のためカンファレンスの準備を行う時間を多くとれないという問題がある。また、カンファレンス実施中に所望の資料を効率よく表示することができないことで患者に対する診断や治療方針の結論が出せず、医用カンファレンスを再実施することもある。
このような状況に対応し、特許文献１には、診療名及び治療の進行状態、カンファレンス実施の履歴情報に基づく検索条件によってカンファレスで使用する資料を自動的に選定する技術が開示されている。特許文献１にはまた、診療科、担当医師、前記診療名又は前記治療の進行状態等に応じて、資料を表示する画面上の位置を決定することが開示されている。
【先行技術文献】
【特許文献】
【０００４】
【特許文献１】特許第５２９５５８２号公報
【発明の概要】
【発明が解決しようとする課題】
【０００５】
しかしながら、患者や担当医の属性、治療の進行状態、カンファレンス実施の履歴情報等の組み合わせが同一であっても、カンファレンスの目的によってはカンファレンスで必要となる医療情報が異なる。
【０００６】
本発明はこのような問題点に鑑みなされたもので、カンファレンスにより適した医療情報を提供することを目的とする。
【課題を解決するための手段】
【０００７】
そこで、本発明は、情報処理装置であって、実行予定のカンファレンスに基づいて、前記カンファレンスの対象患者を特定し、特定した前記対象患者に関する複数の種類の医療情報を検索する第１の検索手段と、前記カンファレンスに基づいて、初期状態において表示する医療情報の種類を選択する選択手段と、前記第１の検索手段により検索された医療情報のうち、前記選択手段により選択された種類の前記医療情報を初期状態において表示し、ユーザ操作に応じて、表示対象の医療情報を、前記第１の検索手段により検索された医療情報のうち、前記選択手段により選択された種類と異なる種類の前記医療情報に切り替える表示手段とを有し、前記選択手段は、前記カンファレンスが第１のカンファレンスである場合と前記第１のカンファレンスとは異なる第２のカンファレンスである場合とで異なる種類の医療情報を前記初期状態において表示する医療情報として選択することを特徴とする。
【発明の効果】
【０００８】
本発明によれば、カンファレンスにより適した医療情報を提供することができる。
【図面の簡単な説明】
【０００９】
【図１】カンファレンス支援システムを示す図である。
【図２】カンファレンス支援装置のハードウェア構成を示す図である。
【図３】カンファレンス支援装置のソフトウェア構成を示す図である。
【図４】検索テーブルのデータ構成の一例を示す図である。
【図５】カンファレンス資料画面の一例を示す図である。
【図６】編集項目テーブルの一例を示す図である。
【図７】初期設定テーブルの一例を示す図である。
【図８】カンファレンス資料作成処理を示すフローチャートである。
【図９】病理カンファレンスの進行スケジュールの一例を示す図である。
【図１０】第２の実施形態に係る初期設定テーブルの一例を示す図である。
【図１１】第２の実施形態に係るカンファレンス資料画面の一例を示す図である。
【図１２】変更例に係るカンファレンス支援システムを示す図である。
【発明を実施するための形態】
【００１０】
以下、本発明の実施形態について図面に基づいて説明する。
（第１の実施形態）
図１は、第１の実施形態に係る、情報処理システムとしてのカンファレンス支援システムの全体構成を示す図である。カンファレンス支援システムは、例えば病院等の医療機関内に構築される。カンファレンス支援システムは、情報処理装置としてのカンファレンス支援装置１０と、サーバ群２０とを有している。カンファレンス支援装置１０とサーバ群２０とは、院内のローカルエリアネットワーク３を介して接続している。
サーバ群２０として、図１には、電子カルテサーバ２１、医用画像サーバ２２、読影レポートサーバ２３、情報サーバ２４が示されているが、サーバ群２０に含まれるサーバの数及び種類は、実施形態に限定されるものではない。
電子カルテサーバ２１には患者の基礎情報やＳＯＡＰ情報（Subjective,  Objective,  Assessment,  Plan）、投薬情報等を記録した電子カルテが保存されている。医用画像サーバ２２には、例えばコンピュータ断層撮影装置、磁気共鳴診断装置、デジタルＸ線撮影装置、超音波診断装置等の撮影装置により取得された画像データ、デジタルカメラで撮影された外傷や手術前後の患部の写真画像等が保存されている。読影レポートサーバ２３には、患者の主治医からの依頼を基に読影医がＣＴやＭＲＩ等の検査画像を診断した結果を電子レポートとしてまとめた読影レポートが保存されている。情報サーバ２４には、例えば検体検査や病理検査、血液検査等の結果が保存されている。
【００１１】
医療カンファレンスとしては、病理カンファレンス、問題症例カンファレンス、簡易報告（レビュー）、準備資料検討会、勉強会、横断カンファレンス等があり、各カンファレンスは、その目的が異なっている。
病理カンファレンスは、病理検査結果をもとに患者を診察することを目的とする。問題症例カンファレンスは、カンファレンスにて結論を出すことのできなかった患者について再度検討することや、緊急で対応が必要な患者について議論をすることを目的とする。簡易報告（レビュー）は、カンファレンスで議論した内容や、実施した手術の内容等を、カンファレンス不参加者に手短に報告することを目的とする。準備資料検討会は、予定されているカンファレンスのために事前準備した資料の内容や、当日のカンファレンスで報告を予定している内容を、関係者間で事前に確認することを目的とする。勉強会は、医師や医学部生が研修目的で実際の患者データを用いてカンファレンスを実施することや、稀な症状や診断が難しい患者について経験豊富な医師が解説することを目的とする。横断カンファレンスは、複数の診療科の医師が参加し多眼的な視点で議論を行うことを目的とする。
なお、本実施形態においては、循環器内科におけるカンファレンスを例に、カンファレンス支援システムについて説明する。
【００１２】
図２は、カンファレンス支援装置１０のハードウェア構成を示す図である。カンファレンス支援装置１０は、ＣＰＵ２０１と、ＲＯＭ２０２と、ＲＡＭ２０３と、ＨＤＤ２０４と、表示部２０５と、入力部２０６と、ネットワークＩ／Ｆ部２０７とを有している。ＣＰＵ２０１は、ＲＯＭ２０２に記憶された制御プログラムを読み出して各種処理を実行する。
ＲＡＭ２０３は、ＣＰＵ２０１の主メモリ、データ処理において利用される、いわゆるワークエリア等の一時記憶領域として用いられる。ＨＤＤ２０４は、各種データや各種プログラム等各種情報を記憶する。ＨＤＤ２０４は例えば、カンファレンスを実施するために必要な設定データや、カンファレンスで用いられる資料等を記憶する。
【００１３】
表示部２０５は、カンファレンス支援装置１０の状態や処理内容等各種情報を表示する。表示部２０５は、ＬＥＤや液晶パネル等である。入力部２０６は、ユーザによる各種操作を受け付ける。入力部２０６は、マウスやデジタイザ等である。ネットワークＩ／Ｆ部２０７は、ネットワークを介してサーバ群２０との通信処理を行う。
なお、後述するカンファレンス支援装置１０の機能や処理は、ＣＰＵ２０１がＲＯＭ２０２又はＨＤＤ２０４に格納されているプログラムを読み出し、このプログラムを実行することにより実現されるものである。
【００１４】
図３は、カンファレンス支援装置１０のソフトウェア構成を示す図である。カンファレンス支援装置１０は、指示受付部３０１と、検索条件抽出部３０２と、資料検索部３０３と、表示制御部３０４と、検索テーブル３１０とを有している。
図４は、検索テーブル３１０のデータ構成の一例を示す図である。なお、検索テーブル３１０は、例えばＨＤＤ２０４等に格納されているものとする。図４に示すように、検索テーブル３１０において、病理、問題症例、勉強会等のカンファレンス毎に、検索条件及び検索タイミングが定められている。検索条件には、カンファレンス時に参照される可能性がある資料が検索されるように、資料の検索条件が設定されている。ここで、資料は、医療情報の一例である。検索条件は、患者、カルテ記事、検査画像、検体検査結果及びレポートそれぞれに関する検索条件を含んでいる。
例えば、循環器内科の病理カンファレンスでは、カンファレンス実施日から３週間以内に循環器内科から病理検査のオーダーが出ている患者を対象に議論がなされる。これに対応し、患者の検索条件においては、「カンファレンス実施日から３週間以内に循環器内科から病理検査のオーダーが出ている患者」が設定されている。
【００１５】
また、病理カンファレンスでは、電子カルテの検索条件として、「過去半年以内に循環器内科の医師が書いた、記事、入院時サマリー、退院時サマリー、経過サマリー、術前サマリー、手術記録」が設定されている。検査画像の検索条件には、「過去１カ月以内に登録された循環器内科の病理オーダー画像」が設定されている。なお、循環器内科の病理カンファレンスでは検体検査結果を参照することはない。これに対応し、検体検査結果の検索条件は、設定されていない。検索条件が設定されていないことは、検体検査結果に関する検索を行わないことを意味する。
検索タイミングは、各カンファレンスに関する検索を行うタイミングを示す情報である。すなわち、検索タイミングは、カンファレンス支援装置１０が、検索条件に合致する資料をサーバ群２０から取得するタイミングである。循環器内科の病理カンファレンスの検索タイミングは、カンファレンス当日の６：３０に設定されている。これは、循環器内科の病理カンファレンスで使用される病理レポートが情報サーバ２４に登録される日時がカンファレンス当日の６：００であることに対応するものである。
なお、定期的に行われるカンファレンスについては、検索テーブル３１０において、開催予定日時がカンファレンスに対応付けて記憶されているものとする。
【００１６】
一方、循環器内科の問題症例カンファレンスに関しては、過去に実施した他カンファレンスにて問題症例であると決定されたことが患者の検索条件に設定されている。また、問題症例カンファレンスで対象となる患者は、過去に議論して結論を出すことができなかった、または緊急で対応しなければならい様なケースであるため、事前準備する資料は過去長い期間にわたって網羅されていることが望ましい。故に、問題症例のカンファレンスにおけるカルテ記事、検査画像、検体検査結果、レポートに関する検索条件においては、その期間が過去３年以内と比較的長い期間に設定されている。
また、循環器内科の勉強会のカンファレンスにおいては、検索タイミングは、カンファレンス日の３日前以降の時間帯で、他カンファレンスによる検索処理負荷が比較的低い日時に設定されている。これは、勉強会では患者の診断を実際に行うわけではないため、取得した資料に不足があっても、大きな問題となることが少ないことに起因する。
【００１７】
図３に戻り、指示受付部３０１は、ユーザから、カンファレンス資料の作成指示や、表示部２０５に表示された内容の変更指示等を受け付ける。検索条件抽出部３０２は、検索テーブル３１０を参照し、カンファレンスの目的、すなわちカンファレンス名に対応付けられている検索条件を抽出する。
資料検索部３０３は、ユーザからの指示に従い、検索条件抽出部３０２により抽出された検索条件に従い、検索条件に合致する患者、すなわち対象患者抽出し、抽出した対象患者を示す対象患者リストを作成する。資料検索部３０３は、さらにサーバ群２０に格納されている、対象患者に関する資料を検索対象として、検索条件に合致する資料を検索する。
また、資料検索部３０３は、定期的に実施されるカンファレンス等開催予定日時が検索テーブル３１０に設定されている場合には、検索タイミングになると、自動的に検索条件に合致する資料の検索を行う。なお、資料検索部３０３は、例えばＳＱＬ文等データベース操作を行うためのプログラミング言語を用いて検索を実行する。
【００１８】
表示制御部３０４は、表示部２０５への表示を制御する。表示制御部３０４は、具体的には、資料検索部３０３により得られた複数の資料を、カンファレンス資料画面として表示部２０５へ表示する。さらに、カンファレンス資料画面５００には、各種ボタンが表示されており、ボタンの選択に応じた表示内容の変更を行う。これにより、医師等の閲覧者は、容易に所望の資料を検索することができる。
表示制御部３０４は例えば、資料検索部３０３により得られた複数の資料を、資料の種類毎にグルーピングする。そして、表示制御部３０４は、タブ表示にて、グループ単位での表示を可能とする。さらに、表示制御部３０４は、複数の資料を一覧表示する際に、特定のグループの資料を他の資料よりも大きいサイズで表示する等強調表示する。
【００１９】
表示制御部３０４はまた、ユーザから指定された条件に基づいて、資料の絞り込みを行う。絞り込みの条件としては、資料作成日や資料を作成した担当医師、資料作成元の診療科等が挙げられる。また、カルテ記事に対する絞り込み条件としては、カルテ種別（カルテ記事をその用途により区別する種別）が挙げられる。ＤＩＣＯＭ（Digital  Imaging  and  Communication  in  Medicine）画像に対する絞り込み条件としては、Ｍｏｄａｌｉｔｙや検査部位が挙げられる。Ｎｏｎ−ＤＩＣＯＭ画像に対する絞り込み条件としては、ファイル拡張子等が挙げられる。
表示制御部３０４はまた、ユーザから指定された条件に基づいて、複数の資料の並び替えを行う。並び替えの条件は、絞り込み条件と同様のものが挙げられる。
表示制御部３０４はまた、ユーザから指定されたキーワードに関連する資料の検索も行う。表示制御部３０４は、例えば電子カルテに記載された文章に指定されたキーワードが含まれる資料や、資料に付与されたメタデータに指定されたキーワードが含まれる資料をリストアップする。なお、カンファレンス資料画面における、上記グルーピング、グループ毎の強調表示、絞り込み、並び替え、検索の初期設定は、カンファレンスの目的毎に予め設定されている。
【００２０】
図５は、カンファレンス資料画面５００の一例を示す図である。実際の病理カンファレンスでは、資料検索部３０３により作成された対象患者リストから議論する患者を一人ずつ選択する。そして、選択した患者の議論が終了すると（又は、各患者に与えられた議論のための時間が終了すると）、次の患者の議論に移るというように進められる。図５に示すカンファレンス資料画面５００は、選択された１人の患者に対して議論を行う際に参照される画面である。
メイン資料表示エリア５１０は、ユーザによって選択された資料が表示される領域である。メイン資料表示エリア５１０には、カルテ記事等、ユーザによって選択された、議論の対象となる資料が表示される。
【００２１】
一覧エリア５２０には、患者の資料のサムネイル画像が一覧表示される。図５に示す一覧エリア５２０においては、サムネイル画像と共に、資料に関するメタデータが表示されている。ここで、メタデータには、資料作成日、担当医師等が含まれている。
患者の資料は、カルテ記事、ＤＩＣＯＭ画像、Ｎｏｎ−ＤＩＣＯＭ画像の３つのグループに分類され、各グループに対応するタブ５２１〜５２３の選択に応じて、一覧エリア５２０に表示される資料のグループが切り替わる。ユーザが、希望のタブ５２１〜５２３を選択し、希望のグループのサムネイル画像一覧を表示させ、希望のサムネイル画像を選択すると、メイン資料表示エリア５１０にサムネイル画像に対応する患者の資料の画像が表示される。
【００２２】
ボタンエリア５３０には、ソートボタン５３１、検索ボタン５３２、フィルタリングボタン５３３の３つのボタンが表示されている。各ボタンが選択されると、選択されたボタンに対応する処理結果に応じて、一覧エリア５２０の表示が切り替わる。ボタンエリア５３０に表示されるボタンに対応する機能は、編集項目テーブルに設定されている。図６は、編集項目テーブル６００の一例を示す図である。編集項目テーブル６００は、例えばＲＯＭ２０２等に格納されている。
編集項目テーブル６００には、カンファレンスの目的毎、さらに資料の種類毎に、使用可能な編集項目が定められている。編集項目テーブル６００はさらに、どのような条件で、各編集を行えるかについても定めている。図６に示す例において、カルテ記事では、ソートが可能であり、作成日、カルテ種別、診療科、担当医師を条件としたソートが可能であることが設定されている。
これに対応し、図５に示すカルテのタブ５２１が選択された状態で、ソートボタン５３１が選択されると、ソート条件の候補として、作成日、カルテ種別、診療科、担当医師が表示される。ユーザが、この４つの候補の中から希望の条件を選択すると、表示制御部３０４は、条件に従ったソートを行う。
【００２３】
同様に、図５に示すＤＩＣＯＭのタブ５２２が選択された状態で、フィルタリングボタン５３３が選択されると、フィルタリング条件の候補として、作成日、Ｍｏｄａｌｉｔｙ、検査部位、診療科、担当医師が表示される。ユーザが、４つの項目に対して、作成日：２０１３年１１月２７日かつ診療科：循環器内科等の様に条件を指定すると、表示制御部３０４は、条件に従ったフィルタリングを行う。これにより、カンファレンスの目的によって利用する可能性のある設定項目のみを表示することができ、ユーザは、目的の設定項目を容易に見つけることができる。
なお、ボタンエリア５３０に表示されるボタンとこれに対応する機能は、編集項目テーブル６００に設定されているものに限られるものではなく、ユーザの指示により、新たなボタンとこれに対応する機能が追加されてもよい。
【００２４】
次に、カンファレンス資料画面の初期設定について説明する。カンファレンス資料画面の初期状態については、初期設定テーブルに設定されている。図７は、初期設定テーブル７００の一例を示す図である。初期設定テーブル７００は、例えばＲＯＭ２０２等に格納されている。
初期設定テーブル７００は、カンファレンスの目的毎に、一覧表示グループと、グループ毎の編集項目の初期設定内容を定めている。例えば、カンファレンスの目的によっては、最初に議論する資料グループが決まっている場合や、頻繁に利用する編集項目が決まっている場合がある。このようなグループや編集項目が初期設定テーブル７００に予め登録されている。
【００２５】
一覧表示グループには、カンファレンス資料画面の表示開始時に一覧エリア５２０に表示されるグループ、すなわち他のグループに比べて優先的に表示すべきグループが設定されている。例えば、循環器内科における病理カンファレンスでは、議論で最初に用いる資料は病理レポート（Ｎｏｎ−ＤＩＣＯＭグループに属する）であり、その中でも循環器内科で作成された資料が頻繁に参照されるとする。この場合、一覧エリア５２０には、Ｎｏｎ−ＤＩＣＯＭグループの資料が表示されていることが望ましい。したがって、図７に示すように、病理カンファレンスの一覧表示グループには、Ｎｏｎ−ＤＩＣＯＭが登録されている。
また、Ｎｏｎ−ＤＩＣＯＭ画像のフィルタリングの設定項目である検査種別と診療科に、それぞれ病理検査、循環器内科が予め指定されていると便利である。これに対応し、病理カンファレンスのＮｏｎ−ＤＩＣＯＭ画像のフィルタリングには、検査種別：病理検査、診療科：循環器内科が予め登録されている。
【００２６】
図８は、カンファレンス支援装置１０による、カンファレンス資料作成処理を示すフローチャートである。Ｓ８００において、カンファレンス支援装置１０の検索条件抽出部３０２は、指示受付部３０１が作成指示を受け付けたか否かを確認する。ここで、作成指示は、カンファレンス資料の作成を指示する情報である。作成指示は、作成対象のカンファレンスの種類、すなわちカンファレンス名を含んでいる。指示受付部３０１が作成指示を受け付けた場合には（Ｓ８００でＹｅｓ）、Ｓ８０１において、検索条件抽出部３０２は、検索テーブル３１０を参照し、作成指示に示されるカンファレンスの目的に対応付けられている検索条件を抽出し、処理をＳ８０４へ進める。
一方、指示受付部３０１が作成指示を受け付けない場合には（Ｓ８００でＮｏ）、Ｓ８０２において、検索条件抽出部３０２は、検索テーブルを参照し、処理実行時がいずれかの検索タイミングに合致するか否かを確認する。検索条件抽出部３０２は、検索タイミングに合致する場合には（Ｓ８０２でＹｅｓ）、Ｓ８０３において、合致すると判断した検索タイミングに対応する検索条件を抽出し、処理をＳ８０４へ進める。検索条件抽出部３０２は、検索タイミングに合致しない場合には（Ｓ８０２でＮｏ）、処理をＳ８００へ進める。
【００２７】
Ｓ８０４において、資料検索部３０３は、Ｓ８０１又はＳ８０３において抽出された検索条件のうち患者に対する検索条件に従い、対象患者を抽出し、抽出した対象患者を示す対象患者リストを作成する。次に、Ｓ８０５において、資料検索部３０３は、対象患者リストに示される対象患者を対象として、検索条件に合致する資料を検索する（検索処理）。ここで、検索条件は、実行予定のカンファレンスの目的に応じて定まるものであり、いずれも診療の段階に依存しない。
次に、Ｓ８０６において、表示制御部３０４は、Ｓ８０５において検索された資料を含むカンファレンス資料画面を作成する。このとき、表示制御部３０４は、編集項目テーブル６００を参照し、カンファレンス資料画面５００のボタンエリア５３０に、編集項目に対応するボタンを表示する。さらに、表示制御部３０４は、初期設定テーブルの一覧表示グループに示される資料を選択し（選択処理）、これを初期設定テーブルの初期設定内容に従い、カンファレンス資料画面５００の一覧エリア５２０に配置する。
次に、Ｓ８０７において、表示制御部３０４は、指示受付部３０１がカンファレンス資料画面の表示指示を受け付けるまで待機する。指示受付部３０１が表示指示を受け付けた場合には（Ｓ８０７でＹｅｓ）、Ｓ８０８において、表示制御部３０４は、Ｓ８０６において作成されたカンファレンス資料画面を表示する。なお、このとき、表示制御部３０４は、初期設定テーブルを参照し、初期状態のカンファレンス資料画面を表示する。
【００２８】
次に、Ｓ８０９において、表示制御部３０４は、指示受付部３０１がカンファレンス資料画面に対する変更指示を受け付けたか否かを確認する。指示受付部３０１が変更指示を受け付けた場合には（Ｓ８０９でＹｅｓ）、Ｓ８１０において、表示制御部３０４は、変更指示に従い表示を更新する。
例えば、ユーザにより、カンファレンス資料画面５００のソートボタン５３１が選択されると、指示受付部３０１がソートに関する変更指示を受け付ける。そして、表示制御部３０４は、ソートに関する変更指示に従い、編集項目テーブル６００に設定されているソート条件を抽出し、抽出した複数のソート条件をカンファレンス資料画面５００上に表示する。そして、表示されたソート条件の中からユーザによりソート条件が指定されると、表示制御部３０４は、指示されたソート条件に従い、医療情報としての資料をソートして表示する。
また、ユーザにより、検索ボタン５３２が選択されると、指示受付部３０１が検索に関する変更指示を受け付ける。そして、表示制御部３０４は、検索に関する変更指示に従い、編集項目テーブル６００に設定されている検索条件を抽出し、抽出した複数の検索条件をカンファレンス資料画面５００上に表示する。そして、表示された検索条件の中からユーザにより検索条件が指定されると、表示制御部３０４は、指示された検索条件に従い、資料を検索し（検索処理）、得られた資料を表示する。
【００２９】
次に、Ｓ８１１において、表示制御部３０４は、指示受付部３０１がカンファレンス資料画面の表示の終了指示を受け付けたか否かを確認する。指示受付部３０１が終了指示を受け付けた場合には（Ｓ８１１でＹｅｓ）、カンファレンス資料作成処理を終了する。指示受付部３０１が終了指示を受け付けなかった場合には（Ｓ８１１でＮｏ）、表示制御部３０４は、処理をＳ８０９へ進める。指示受付部３０１が変更指示を受け付けなかった場合には（Ｓ８０９でＮｏ）、処理をＳ８１１へ進める。
【００３０】
以上のように、本実施形態に係るカンファレンス支援システムにおいては、カンファレンス支援装置１０は、カンファレンスの目的に応じてカンファレンスの対象患者及び患者に関する資料（医療情報）を自動で収集する。このため、カンファレンス準備に対する医師の負担を軽減することができる。また、カンファレンスの目的に応じて資料表示に関する設定を決定することで、カンファレンス実施中に所望の資料を効率よく表示することができ、カンファレンスの進行を円滑にすることができる。
【００３１】
（第２の実施形態）
次に、第２の実施形態に係るカンファレンス支援システムについて説明する。図９は、病理カンファレンスの進行スケジュールの一例を示す図である。図９の左側に示すように、カンファレンスの進行は、ルーティン化されている。図９の左側に示す例においては、まず医師による、各患者の病歴・病状についての説明があり、続いて治療方針等の説明がある。次に、栄養士による、各患者の栄養指導方法の説明（継続指導の場合は、前回の指導内容報告）があり、続いて看護師による、その他の生活面についての意見や療養方針の説明がある。以上の工程がカンファレンス対象となる全患者に対して実施される。
さらに、同医療機関において、図９の右側に示すように、他の目的のカンファレンスが行われているとする。このような場合に、病理カンファレンスにおける治療方針の説明において、治療方針決定カンファレンスにおいて利用される資料が利用できると便利である。同様に、栄養指導方法の説明において、栄養指導カンファレンスにおいて利用される資料が利用できると便利である。さらに、療養方針の説明において、療養方針決定カンファレンスにおいて利用される資料が利用できると便利である。
【００３２】
第２の実施形態に係るカンファレンス支援装置１０は、処理対象のカンファレンス（実行予定のカンファレンス）に利用される資料だけでなく、関連するカンファレンスにおいて利用される資料も検索し、適宜表示する。図１０は、第２の実施形態に係る初期設定テーブル１０００の一例を示す図である。初期設定テーブル１０００において、カンファレンス毎に関連するカンファレンスが設定されている。
図１１は、第２の実施形態に係るカンファレンス資料画面１１００の一例を示す図である。カンファレンス資料画面１１００のボタンエリア１１３０には、ソートボタン５３１、検索ボタン５３２、フィルタリングボタン５３３に加えて、設定切替ボタン５３４が表示されている。設定切替ボタン５３４が選択されると、指示受付部３０１は、切替指示を受け付ける。そして、表示制御部３０４は、初期設定テーブル１０００を参照し、カンファレンス資料画面１１００において表示する資料を、他の目的のカンファレンスに関する資料に一時的に切り替える。
【００３３】
より詳しくは、第２の実施形態においては、検索条件抽出部３０２は、初期設定テーブル１０００において、実行予定のカンファレンスに対応付けられている関連するカンファレンスを特定する。そして、検索条件抽出部３０２は、検索テーブル３１０から、実行予定のカンファレンスの検索条件と、関連するカンファレンスの検索条件とを抽出する。
資料検索部３０３は、実行予定のカンファレンスの検索条件のうち患者の検索条件に合致する患者を対象患者として対象患者リストを作成する。そして、資料検索部３０３は、対象患者に対し、実行予定のカンファレンスの患者以外の検索条件と関連するカンファレンスの患者以外の検索条件の何れかに合致する資料を検索する。すなわち、資料検索部３０３は、２つの検索条件をＯＲにより連結した検索条件式により検索を行う。
そして、表示制御部３０４は、設定切替ボタン５３４が選択された場合には、カンファレンス資料画面１１００の表示内容を、実行予定のカンファレンスに係る資料から、関連するカンファレンスに係る資料に切り替える。この場合、表示制御部３０４は、関連するカンファレンスの設定に切り替え、資料の並び替えや絞り込みの実施を関連するカンファレンスと同じ使い方で実施する。なお、第２の実施形態に係るカンファレンス支援システムのこれ以外の構成及び処理は、第１の実施形態に係るカンファレンス支援システムの構成及び処理と同様である。
【００３４】
また、設定切替ボタン５３４が選択され、設定が切り替わったとする。この場合、表示制御部３０４は、一覧エリア５２０の表示は変更せず、ボタンエリア１１３０に表示するボタンのみを、切替先のカンファレンス（関連するカンファレンス）に対する初期設定の編集項目に対応するものに切り替えてもよい。また、この場合、表示制御部３０４は、ボタンエリア１１３０の表示は変更せず、一覧エリア５２０の表示内容のみを、切替先のカンファレンスに係る表示内容に切り替えてもよい。
このように、本実施形態に係るカンファレンス支援装置１０は、あるカンファレンスにおいて、特定の議論が行われている際に、他のカンファレンスの設定が利用できると認識し、利用可能なカンファレンスの資料を表示することができる。これは、カンファレンスの目的に着眼することにより実現したものである。すなわち、カンファレンス支援装置１０は、オブジェクト指向的な感覚で、カンファレンスの実施をサポートすることができる。
【００３５】
なお、本発明は上記実施形態１又は２そのままに限定されるものではなく、本発明の目的を達成できる範囲で構成要素を変形して実施することができる。例えば、カンファレンス支援装置１０が有する機能を複数の装置が協働して実現してもよい。例えば、図１２に示すように、図２に示す各部のうち表示制御部３０４をクライアント装置１２が有し、残りの機能をサーバ装置１１が有することとする。
そして、サーバ装置１１は、クライアント装置１２から要求があった際に、カンファレンスで必要となる医療情報をサーバ群２０から取得し、表示制御部３０４が必要とする設定データと共にクライアント装置１２に提供する。クライアント装置１２は、受信した情報を基にカンファレンスの進行に必要な情報を自身の出力デバイスに出力する。なお、この場合、カンファレンス支援システムは、複数台のクライアント装置１２を有してもよい。
【００３６】
＜その他の実施形態＞
以上、実施形態例を詳述したが、本発明は例えば、システム、装置、方法、プログラム若しくは記録媒体(記憶媒体)等としての実施態様をとることが可能である。具体的には、複数の機器（例えば、ホストコンピュータ、インタフェース機器、撮像装置、webアプリケーション等）から構成されるシステムに適用しても良いし、また、一つの機器からなる装置に適用しても良い。
また、本発明の目的は、以下のようにすることによって達成されることはいうまでもない。即ち、前述した実施形態の機能を実現するソフトウェアのプログラムコード（コンピュータプログラム）を記録した記録媒体（または記憶媒体）を、システムあるいは装置に供給する。係る記憶媒体は言うまでもなく、コンピュータ読み取り可能な記憶媒体である。そして、そのシステムあるいは装置のコンピュータ（またはＣＰＵやＭＰＵ）が記録媒体に格納されたプログラムコードを読み出し実行する。この場合、記録媒体から読み出されたプログラムコード自体が前述した実施形態の機能を実現することになり、そのプログラムコードを記録した記録媒体は本発明を構成することになる。
【００３７】
以上、上述した各実施形態によれば、カンファレンスにより適した医療情報を提供することができる。
【００３８】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００３９】
１０  カンファレンス支援装置
２０  サーバ群
３０１  指示受付部
３０２  検索条件抽出部
３０３  資料検索部
３０４  表示制御部
３１０  検索テーブル
【図１】
0006465574.tif 000002
【図２】
0006465574.tif 000003
【図３】
0006465574.tif 000004
【図４】
0006465574.tif 000005
【図５】
0006465574.tif 000006
【図６】
0006465574.tif 000007
【図７】
0006465574.tif 000008
【図８】
0006465574.tif 000009
【図９】
0006465574.tif 000010
【図１０】
0006465574.tif 000011
【図１１】
0006465574.tif 000012
【図１２】
0006465574.tif 000013